(57)【要約】【課題】緊急情報の待機状態での消費電力を削減することを可能とするＡＣ信号受信装置及び地上デジタルテレビジョン放送受信装置を提供することである。【解決手段】地上デジタルテレビジョン放送のＡＣ信号を受信するＡＣ信号受信装置１００は、高速フーリエ変換された信号から出力される分散パイロット信号を補間する補間部２４と、高速フーリエ変換信号から出力されるＡＣ信号を、補間部から補間出力された分散パイロット信号を基準として等化する等化部２１と、を有する同期検波部２０と、高速フーリエ変換された信号から出力される前記ＡＣ信号を遅延検波する遅延検波部３０と、同期検波部の検波出力と前記遅延検波部の検波出力とを切り替える切替部４０と、切替部で前記遅延検波部の検波出力を選択した時には、前記同期検波部の全部又は一部の動作を停止するよう制御する制御部６０と、を備える。【選択図】図１
2012070079.tif 000002
【特許請求の範囲】
【請求項１】
地上デジタルテレビジョン放送のＡＣ信号を受信するＡＣ信号受信装置であって、
高速フーリエ変換された信号から出力される分散パイロット信号を補間する補間部と、前記高速フーリエ変換信号から出力されるＡＣ信号を、前記補間部から補間出力された前記分散パイロット信号を基準として等化する等化部と、を有する同期検波部と、
前記高速フーリエ変換された信号から出力される前記ＡＣ信号を遅延検波する遅延検波部と、
前記同期検波部の検波出力と前記遅延検波部の検波出力とを切り替える切替部と、
前記切替部で前記遅延検波部の検波出力を選択した時には、前記同期検波部の全部又は一部の動作を停止するよう制御する制御部と、
を具備したことを特徴とするＡＣ信号受信装置。
【請求項２】
前記制御部は、ＡＣ信号受信装置が間欠動作を行う時は、前記切替部を制御して、前記遅延検波部の検波出力を選択し、前記同期検波部の全部又は一部の動作を停止するよう制御することを特徴とする請求項１に記載のＡＣ信号受信装置。
【請求項３】
前記地上デジタルテレビジョン放送信号の受信品質を検出する受信品質検出部をさらに備え、
前記制御部は、前記受信品質検出部からの検出結果に応じて、前記切替部を切り替える制御を行うことを特徴とする請求項１又は２に記載のＡＣ信号受信装置。
【請求項４】
前記制御部は、前記受信品質検出部からの品質検出信号が閾値以上のときは前記切替部の出力として前記遅延検波部の検波出力を選択し、品質検出信号が閾値より小さいときは前記同期検波部の検波出力を選択するよう前記切替部を制御することを特徴とする請求項３に記載のＡＣ信号受信装置。
【請求項５】
請求項１乃至４のいずれか１つに記載のＡＣ信号受信装置を備えたことを特徴とする地上デジタルテレビジョン放送受信装置。
【発明の詳細な説明】
【技術分野】
【０００１】
本発明の実施形態は、緊急地震速報などの緊急情報を含むＡＣ信号を受信するためのＡＣ信号受信装置及び地上デジタルテレビジョン放送受信装置に関する。
【背景技術】
【０００２】
近年、地上デジタルテレビジョン放送において緊急地震速報を送受信する技術が開発され、緊急地震速報の起動信号を低消費電力で待ち受け、緊急地震速報が発せられると、該速報を迅速に受信し、受信機のユーザに確実に伝達することが可能となっている。  
緊急地震速報は、地震直後の小さな揺れをとらえて大きな揺れの前に震度や震源などを予測して発表する気象庁のサービスである。
【０００３】
ところで、日本の地上デジタル放送の伝送方式には、映像や音声などの本線信号を送るキャリア以外にＡＣ(Auxiliary Channel)と呼ばれるキャリアがある。このＡＣは、映像符号化やインターリーブの処理を行わないため遅延時間が少なく，ＤＢＰＳＫ(Differential Binary Phase Shift Keying)変調を用いていることから雑音や干渉に強い特長がある。
【０００４】
また、地上デジタルテレビジョン放送における部分受信セグメントを用いたワンセグサービス（以下、単にワンセグと称する）で、ＡＣを利用して緊急地震速報を伝送する方式が開発されており、ＡＣ信号に地震動警報情報として伝送される。
【０００５】
一方、緊急警報放送の場合に、待機消費電力を抑えて動作し、受信機の電源が入っていない受信機を起動して受信機に知らせるしくみは、知られている。例えば、ＩＳＤＢ−Ｔ（Integrated Services Digital Broadcasting-Terrestrial、ＡＲＩＢ規格ＳＴＤ‐Ｂ３１）方式の地上デジタルテレビジョン受信機は、受信機の電源が入っていない場合に、ＴＭＣＣ（Transmission and Multiplexing Configuration Control： 伝送制御）キャリアに格納される緊急警報放送用起動フラグを検出する伝送制御信号受信回路を備えることにより、緊急警報放送用起動フラグが１（緊急警報放送あり）のとき、受信機の電源を投入し、受信機に緊急警報放送の視聴を促すことができる。同様なことが、ワンセグにおけるＡＣキャリア及びそれに含まれる地震動警報情報の開始フラグを利用した緊急地震速報の視聴にも応用可能である。
このような受信機において、ＴＭＣＣ信号のフレーム同期信号に基づくタイミングで、例えばフレーム単位の間欠動作を行うことによって、消費電力を節約できる。すなわち、ＴＭＣＣ又はＡＣに含まれる起動フラグを少なくとも１フレームごとに間欠動作で監視し、起動フラグを検出したらＡＣデータをデコードし、警告を発生し、画面上に表示又は音声出力などする。
【０００６】
ところで、ワンセグでＡＣを利用して緊急地震速報を受信可能な携帯電話機などの携帯端末では、１フレームごとに間欠受信して起動フラグの監視を間欠的に行い、電池の消費電力を節約できるが、それだけでは十分とは言えない。つまり、携帯端末における待機状態での低消費電力化を図る必要がある。
【先行技術文献】
【特許文献】
【０００７】
【特許文献１】特開２０１０−１０９６２２号公報
【発明の概要】
【発明が解決しようとする課題】
【０００８】
地上デジタルテレビジョン放送受信装置では、一般的に、放送局から送られてくる地上デジタル放送信号を受信した後、伝送路上で生じる波形歪みを補正する波形等化が行われる。波形等化は、補間処理を行って、地上デジタル放送信号に間欠的に挿入されているＳＰ信号を補間することによって全データシンボル分のＳＰ信号を生成し、伝送路推定信号を得て、全データシンボルの振幅及び位相の歪みを補正する。
【０００９】
しかしながら、 補間回路は、通常ＦＩＲフィルタが用いられており、必要な特性を得るには、多数の乗算器と加算器が必要となり、消費電力が大きくなる。このように、ＳＰを用いた伝送路推定ではシンボル方向およびキャリア方向の補間を行うため回路規模が大きく消費電力が増えるという問題がある。特に、ワンセグのＡＣを用いた緊急地震速報を受信可能な携帯端末では、待機状態での消費電力を削減するために間欠動作をする場合には非常に問題である。
【００１０】
本発明は、緊急情報の待機状態での消費電力を削減することを可能とするＡＣ信号受信装置及び地上デジタルテレビジョン放送受信装置を提供することにある。
【課題を解決するための手段】
【００１１】
本発明の実施形態のＡＣ信号受信装置は、地上デジタルテレビジョン放送のＡＣ信号を受信するＡＣ信号受信装置であって、
高速フーリエ変換された信号から出力される分散パイロット信号を補間する補間部と、前記高速フーリエ変換信号から出力されるＡＣ信号を、前記補間部から補間出力された前記分散パイロット信号を基準として等化する等化部と、を有する同期検波部と、
前記高速フーリエ変換された信号から出力される前記ＡＣ信号を遅延検波する遅延検波部と、
前記同期検波部の検波出力と前記遅延検波部の検波出力とを切り替える切替部と、
前記切替部で前記遅延検波部の検波出力を選択した時には、前記同期検波部の全部又は一部の動作を停止するよう制御する制御部と、を備える。
【図面の簡単な説明】
【００１２】
【図１】本発明の第１の実施形態のＡＣ信号受信装置を示すブロック図。
【図２】図１の動作を説明するフローチャート。
【図３】本発明の第２の実施形態のＡＣ信号受信装置を示すブロック図。
【図４】本発明の第３の実施形態の地上デジタルテレビジョン放送受信装置を示すブロック図。
【図５】従来例のＡＣ信号受信装置の概略ブロック図。
【図６】図５における検波部を説明する概略図。
【図７】ＦＦＴ部の出力における信号配置を説明する図。
【図８】ＳＰの補間を説明する図。
【発明を実施するための形態】
【００１３】
以下、本発明の実施の形態について図面を参照して詳細に説明する。  
図５は従来例のＡＣ信号受信装置の概略ブロック図である。  
図５に示すように、アンテナ１に受信されたＯＦＤＭ信号は、チューナ２に入力され、チューナ２によって所定チャンネルのＯＦＤＭ信号が選択されて中間周波数(ＩＦ)帯に変換される。チューナ２の出力は、アナログ／デジタル変換部 (Ａ／Ｄ変換部)３によってデジタル信号に変換される。Ａ／Ｄ変換部３の出力は、ＩＱ復調部４により複素ベースバンド信号に変換され、高速フーリエ変換 (ＦＦＴ)部５に供給される。ＦＦＴ部５は、高速フーリエ変換(ＦＦＴ)演算を行い、複素ベースバンド信号を時間軸上データから周波数軸上のデータに変換する。すなわち、ＦＦＴ部５の出力は、図７に示したような信号配置となっており、検波部２０に供給される。検波部２０の出力は、誤り訂正部６に供給され、誤り訂正部６により誤り訂正の復号処理、すなわち伝送中に生じた誤りが訂正されたＡＣ信号が復調データとして出力される。
【００１４】
図６は図５の検波部２０を説明する概略図である。検波部２０は、ＳＰ信号による伝送路推定を用いた波形等化を行っている。すなわち、ＦＦＴ部５の出力の中で、図８に示した分散パイロット(ＳＰ)信号は、ＳＰメモリ２３及び補間部２４で構成される伝送路推定部２２により、シンボル方向及びキャリア方向に補間(内挿)され伝送路特性を推定する。等化部２１は、補間部２４により補間されたＳＰ信号を基準として、ＡＣシンボルの振幅等化及び位相等化を行う。なお、補間部２４は、一般的にＦＩＲフィルタが用いられており、必要な特性を得るには、多数の乗算器と加算器が必要となり、消費電力が大きくなる。
【００１５】
このように、ＳＰ信号を用いた伝送路推定ではシンボル方向およびキャリア方向の補間を行うため回路規模が大きく消費電力が増えるという問題がある。特に、待機状態での消費電力を削減するために間欠動作(間欠的な受信動作)を行う場合には間欠動作回数の増大に伴い電力消費の点で大きな問題となる。
【００１６】
図７において、データシンボルは、映像や音声などの情報データを伝送するものであり、例えば６４ＱＡＭで変調される。付加情報（ＴＭＣＣ：Transmission and Multiplexing Configuration Control・ＡＣ：Auxiliary Channel）シンボルは、例えば、変調方式やインタリーブなどの伝送パラメータ情報や、付加情報を伝送するものであり、差動ＢＰＳＫ（Binary Phase Shift keying：２相位相変調）により特定のキャリア（周波数スロット）にて伝送される。分散パイロット（ＳＰ：Scattered Pilot）シンボルは、周波数及び時間方向に分散して伝送される無変調信号であり、受信装置における伝送路特性推定や同期再生などに用いられる。ＡＣシンボルには、同期信号，構成識別，地震動警報情報などが含まれている。
【００１７】
［第１の実施形態］
図１は本発明の第１の実施形態のＡＣ信号受信装置を示すブロック図である。従来例と同じ部分の説明は省略する。  
図１において、ＡＣ信号受信装置１００は、アンテナ１と、チューナ２と、Ａ／Ｄ変換部３と、ＩＱ復調部４と、ＦＦＴ部５と、同期検波部２０と、遅延検波部３０と、切替部４０と、ＴＭＣＣ検出部７と、誤り訂正部８と、ＡＣ検出部９と、誤り訂正部１０と、Ｓ／Ｎ検出部５０と、制御部６０と、を備えている。
【００１８】
同期検波部２０は、同期検波用の等化部２１と、伝送路推定部２２とを備える。伝送路推定部２２は、ＳＰメモリ２３と、補間部２４とを備えている。  
また、遅延検波部３０は、遅延検波用の等化部３１と、１シンボル遅延部３２と、を備える。
【００１９】
図１に示すように、アンテナ１に受信された地上デジタルテレビジョン放送信号としてのＯＦＤＭ信号は、チューナ２に入力され、チューナ２によって所定チャンネルのＯＦＤＭ信号が選択されて中間周波数 (ＩＦ)帯に変換される。チューナ２の出力は、アナログ／デジタル変換部（Ａ／Ｄ変換部）３によってデジタル信号に変換される。Ａ／Ｄ変換部３の出力は、ＩＱ復調部４に供給され、準同期直交検波されて複素ベースバンド信号に変換される。ＩＱ復調部４の出力は、高速フーリエ変換（ＦＦＴ：Fast Fourier Transfer）部５に供給される。
【００２０】
ＦＦＴ部５は、高速フーリエ変換を行う時間軸上の範囲を規定するＦＦＴ窓に基づいて高速フーリエ変換演算を行い、上記複素ベースバンド信号を時間軸上のデータから周波数軸上のデータに変換する。すなわち、ＦＦＴ部５の出力は、同期検波部２０内の等化部２１に供給される。
【００２１】
また、ＦＦＴ部５の出力の中で、データシンボルの等化用基準信号である分散パイロット(ＳＰ)信号は、ＳＰメモリ２３に所定のシンボル数分記憶され、補間部２４により時間方向及び周波数方向にシンボルごとにフィルタリングされて所期の離散配置になるように補間される。
【００２２】
同期検波用の等化部２１は、補間部２４により補間出力されたＳＰ信号を用いて、全時間及び全周波数における伝送路特性を推定し、この伝送路特性に応じた復調方法でデータシンボルの振幅等化及び位相等化を行う。等化部２１の出力は、切替部４０を通してＡＣ検出部９に供給され、ＡＣ信号が検出されて誤り訂正部１０に供給され、誤り訂正部１０により誤り訂正の復号処理、すなわち伝送中にＡＣ信号に生じた誤りが訂正されてＡＣデータとして出力される。
【００２３】
また、ＦＦＴ部５の出力の中で、付加情報(ＡＣ・ＴＭＣＣ)信号は、１シンボル遅延部３２と等化部３１とからなる遅延検波部３０に供給される。付加情報(ＡＣ・ＴＭＣＣ)信号は、図７に示すように、特定周波数に連続的に配置されており、差動ＢＰＳＫ変調されているため、１シンボル遅延部３２の出力である１シンボル前の付加情報(ＡＣ・ＴＭＣＣ)信号を基準として、遅延検波用の等化部３１にて等化される。遅延検波部３０内の等化部３１の遅延検波出力は、ＴＭＣＣ検出部７に供給されて復調され、更に誤り訂正部８で誤り訂正された後、ＴＭＣＣデータとして出力される。出力されたＴＭＣＣデータは、受信装置各部に供給されて、受信装置各部におけるキャリア変調パラメータ、誤り訂正パラメータなどの設定に用いられる。
【００２４】
付加情報(ＡＣ・ＴＭＣＣ)信号は、受信装置の復調処理を簡易にするために差動ＢＰＳＫで変調されており、本来は１シンボル前の信号を基準として等化するものである。しかし、図１に示すように、データシンボルの等化用基準信号であるＳＰ信号の補間出力を用いて、ＡＣ・ＴＭＣＣ信号を等化してもＢＰＳＫの信号点は復調できるため、切替部４０からのどちらの等化出力を用いても受信Ｓ／Ｎを検出することが可能である。等化部２１又は３１の等化出力は、Ｓ／Ｎ検出部５０に供給される。
【００２５】
なお、図７の信号配置はＴＭＣＣデータから導かれるため、ＴＭＣＣデータが判らないとＡＣデータも復調(映像)データ(図４参照)も復調することができない。ＴＭＣＣ信号の復調には遅延検波が行われており、ＡＣ信号の遅延検波と兼用になっている。従って、１シンボル遅延部３２と等化部３１で構成される遅延検波部３０は常に動作していることが必要である。しかしながら、消費電力の低減の観点から、緊急情報の受信時には地上デジタルテレビジョン放送信号の間欠受信に加えて、電力消費の大きいＳＰ補間による同期検波部の全部又は一部を停止できることが望ましい。そこで、切替部４０とＳ／Ｎ検出部５０を設けて、同期検波部２０の出力と遅延検波部３０の出力とをＳ／Ｎの検出信号に応じて切り替えられるようにしている。
【００２６】
Ｓ／Ｎ検出部５０は、図示しない例えば分散検出部と平均部を備え、等化部２１又は３１の等化出力について、所定の基準信号点（例えばＢＰＳＫ基準信号点）からの分散値をそれぞれ求め、検出された各分散値を周波数方向と時間軸方向のいずれか一方向もしくは両方向に平均して、受信信号の受信品質を示すＳ／Ｎ値（受信品質信号）を生成できる。
【００２７】
制御部６０は、通常は補間部２４の出力を等化部２１に供給して得られる等化出力(同期検波出力)を切替部４０が選択するよう制御を行うが、ＡＣ信号検出(或いは起動フラグ監視)を間欠的に行うための間欠動作を実行する時には、１シンボル遅延部３２の出力を等化部３１に供給して得られる等化出力(遅延検波出力)を切替部４０が選択するように制御するとともに、同期検波部２０に対して動作を停止するよう制御を行う。これにより、遅延検波部３０での間欠動作による消費電力の低減に加えて同期検波部２０側での無駄な電力消費を低減することができる。なお、このとき、間欠動作時における同期検波部２０の全部(等化部２１，ＳＰメモリ２３及び補間部２４)を動作停止する代わりに、同期検波部２０の一部(例えば伝送路推定部２２又は補間部２４のみ)の動作を停止するように制御を行ってもよい。
【００２８】
また、同期検波用の等化部２１と遅延検波用の等化部３１とは、ハードウェア的には同様な構成となっている。すなわち、等化部２１では、ＳＰ信号を基準としてそのＳＰ信号の歪みに相当する歪み補正を、ＦＦＴ部５からの周波数方向の受信信号に対して行うものであり、等化部３１では１シンボル前の信号を基準としてその１シンボル前の信号の歪みに相当する歪み補正をＦＦＴ部５からの周波数方向の受信信号に対して行うものであり、等化部の構成としては両者とも同等な構成となる。ただし、ＳＰ信号を基準とする場合は、周波数方向及び時間方向に間欠的に送信されるＳＰ信号を全データシンボルに対して補間することによって生成してやる必要がある。
【００２９】
次に、図１の動作を、図２のフローチャートを参照して説明する。ＡＣ信号受信装置１００は、ＡＣ信号による緊急地震速報を受信する専用の緊急情報受信装置であるとして説明する。  
まず、ステップＳ1において、受信装置の電源がオンされると、チューナ２、Ａ／Ｄ変換部３、ＩＱ復調部４、ＦＦＴ部５、同期検波部２０、遅延検波部３０、切替部４０、ＴＭＣＣ検出部７、誤り訂正部８、ＡＣ検出部９、誤り訂正部１０、Ｓ／Ｎ検出部５０、及び制御部６０が少なくとも動作状態とされる。
【００３０】
この状態では、ＴＭＣＣ検出部７及び誤り訂正部８が動作してＴＭＣＣデータが検出され(ステップＳ2)、受信装置各部に供給される。同時に、この状態では、ステップＳ3に示すように切替部４０によって遅延検波部３０の出力が選択され、その遅延検波出力はＡＣ検出部９に供給される。  このとき、切替部４０からの遅延検波出力は受信品質検出部としてのＳ／Ｎ検出部５０に供給されており、Ｓ／Ｎ検出部５０で検出された受信品質検出信号であるＳ／Ｎ検出信号が制御部６０に供給される。
【００３１】
制御部６０は、ステップＳ4において、Ｓ／Ｎ検出部５０からのＳ／Ｎ検出信号を閾値と比較して、Ｓ／Ｎ検出信号の良否を判定し、その判定結果に基づいて切替部４０の切り替えを制御する。  
制御部６０は、ステップＳ4でＳ／Ｎ検出信号が閾値以上のときは切替部４０の出力として遅延検波部３０の検波出力を選択し続ける(ステップＳ5)と同時に、同期検波部２０の動作を停止するように制御する(ステップＳ6)。同期検波部２０の動作停止とは、同期検波部２０の全部又は一部への電源供給を停止することである。
【００３２】
また、制御部６０は、ステップＳ4でＳ／Ｎ検出信号が閾値より小さいときは同期検波部２０の検波出力を選択するよう切替部４０を切り替えると同時に、同期検波部２０の動作停止を解除するよう制御する(ステップＳ7)。
【００３３】
受信Ｓ／Ｎが良好の場合(ステップＳ5及びＳ6のとき)は遅延検波出力が、或いは受信Ｓ／Ｎが悪い場合(ステップＳ7のとき)は同期検波出力が、ＡＣ検出部９に供給されて、ＡＣデータの検出が行われ、誤り訂正部１０にてＡＣデータに対して誤り訂正を行った後、ＡＣデータに含まれる緊急速報情報に基づき図示しない警告発生部から警告を発生する(ステップＳ8〜ステップＳ10)。
【００３４】
具体的には、ＡＣデータに含まれる構成識別を少なくとも１フレームごとに間欠動作で監視し、構成識別を検出したらＡＣデータをデコードし、地震動警報情報を読み取って表示部の画面上に表示又は音声出力などして警告を発生する。
【００３５】
ＦＦＴ部５の出力の中で、付加情報(ＡＣ・ＴＭＣＣ)信号は、図７に示すように、特定キャリアに連続的に配置されており、差動ＢＰＳＫ変調されているため、１シンボル遅延部３２の出力である１シンボル前の付加情報信号を基準として、等化部３１にて等化すなわち遅延検波される。このとき制御部６０は伝送路推定部２２に動作を停止するよう制御を行うため、同期検波部２０の一部である消費電力の大きな補間部２４が少なくとも動作停止し消費電力を下げることができる。
【００３６】
第１の実施形態によれば、緊急情報を含んだＡＣ信号を受信する受信装置の低消費電力化のために、待ち受け状態での間欠動作時におけるＡＣ信号の検出を遅延検波に切り替えることによって、消費電力の大きな補間回路を含む同期検波部の動作を停止し消費電力を削減することが可能となる。これは、特に携帯端末のような電池を電源として用いるモバイル受信機器において有用である。
【００３７】
［第２の実施形態］
図３は本発明の第２の実施形態のＡＣ信号受信装置を示すブロック図である。図１と同一部分には同一符号を付して説明する。  
図３に示すＡＣ信号受信装置１００Ａが、図１のＡＣ信号受信装置１００と異なる点は、図１における同期検波部２０内の伝送路推定部２２のＳＰメモリ２３の一部を、遅延検波部用の１シンボル遅延部としても使用できるように構成したものである。これは、１シンボル遅延部はデータを１シンボル期間記憶させる機能を有するものであり、メモリで構成されるものであるからである。
【００３８】
図３に示す１シンボル遅延部２６はＳＰメモリ２５と合わせて、図１に示す伝送路推定部２２を構成するＳＰメモリ２３と同等の機能を有するものであり、制御部６０が伝送路推定部２２及び等化部２１による同期検波部を選択した場合は、１シンボル遅延部２６は伝送路推定部２２の一部として動作する。
【００３９】
また、間欠動作を行う時には、制御部６０が１シンボル遅延部２６の出力を等化部３１に供給することによって得られる遅延検波出力を選択するように切替部４０を制御するとともに、等化部２１，ＳＰメモリ２５及び補間部２４の動作を停止するよう制御を行う。なお、このときも、間欠動作時における同期検波部の全部(等化部２１，ＳＰメモリ２５及び補間部２４)を動作停止する代わりに、同期検波部の一部(例えばＳＰメモリ２５又は補間部２４のみ)の動作を停止するように制御を行ってもよい。特に消費電力の大きな補間部２４を少なくとも動作停止するように制御することが好ましい。
【００４０】
なお、間欠動作を行う時だけでなく低消費電力でＡＣ信号受信装置を動作させたい時にも、制御部６０が１シンボル遅延部２６の出力を等化部３１に供給することによって得られる遅延検波出力を選択するように切替部４０を制御しても良い。
【００４１】
第２の実施形態によれば、遅延検波用に用いる１シンボル遅延部２６を、同期検波用のＳＰメモリの一部として兼用するので、回路規模を縮小することが可能となる。結果として例えば携帯端末の構成においてさらに小型軽量化を図ることが可能となる。
【００４２】
［第３の実施形態］
図４は本発明の第３の実施形態の地上デジタルテレビジョン放送受信装置を示すブロック図である。図１及び図５と同一部分には同一符号を付して説明する。  
図４に示す地上デジタルテレビジョン放送受信装置２００は、主要部が図１に示すＡＣ信号受信装置１００と同様であり、図１のＡＣ信号受信装置１００に対して出力部としての誤り訂正部６が追加され、同期検波部２０内の等化部２１で等化された出力が誤り訂正され復調(映像)データとして出力される。誤り訂正部６の後段には、通常の地上デジタルテレビジョン放送受信装置と同様に復号部としてのＴＳデコーダ(図示略)と、更にその後段に配置されて映像データ及び音声データをそれぞれ復号する映像デコーダ及び音声デコーダ(図示略)と、映像データを表示する表示部(図示略)と、更に表示部に映像データを表示させる指示をする操作ボタン(図示略)と、を備えている。また、ＡＣ信号受信装置のＡＣ信号受信動作を予め可又は不可に設定する設定部(図示略)をさらに備えている。設定部(図示略)は、操作部(図示略)の一部に設定ボタンとして設けてもよいし、或いは、表示部(図示略)の画面上に設定メニューの設定項目の１つとして設けてもよい。
【００４３】
なお、地上デジタルテレビジョン放送受信装置は、図１のＡＣ信号受信装置１００に代えて、図３に示すＡＣ信号受信装置１００Ａを備えた構成としてもよい。
【００４４】
このような構成においては、地上デジタルテレビジョン放送受信装置２００の使用者が緊急情報を含むＡＣ信号の受信動作を可とする設定を設定部に対して行うことができる。
【００４５】
また、使用者がリモコンなどの映像表示用の操作ボタンを操作することによって、表示部に対してＴＶ映像表示を指示すると、制御部６０の制御によって切替部４０が同期検波部２０を選択し、その等化データは誤り訂正部６で誤り訂正されて復調(映像)データとして出力され、図示しないＴＳデコーダへ送出される一方、同期検波された等化データはＡＣ検出部９にも送られ、ＡＣ信号の検出、誤り訂正、緊急情報の警告発生を行うことも可能となる。
【００４６】
使用者が映像表示用の操作ボタンを操作しないときには、ＡＣ信号の受信可設定に基づき、ＡＣ信号の受信動作ルーチン(図２に示したステップＳ2〜ステップＳ10と同様なステップ) に従って低消費電力での動作が実行される。
【００４７】
第３の実施形態によれば、緊急情報受信装置であるＡＣ受信装置を搭載した地上デジタルテレビジョン受信装置において、(1)テレビを見ているときに緊急情報が有った場合には、同期検波出力に基づくＡＣ検出が行われることで、緊急情報受信が可能となり、(2)テレビを見ていないとき(テレビが主電源のみオンで待機電源の状態にあり、テレビ表示用電源はオンしていないとき)に緊急情報が有った場合には、専用の緊急情報受信装置としてのＡＣ信号受信装置と同様の緊急情報受信動作が行われ、図１又は図２の実施形態と同様な低消費電力効果が得られる。
【００４８】
尚、以上述べた本発明の実施形態のＡＣ信号受信装置は、ＡＣ信号による緊急地震速報のフォーマットを受信する受信装置に広く応用することが可能である。例えば、受信装置は、携帯電話、携帯情報端末(ＰＤＡ)、腕時計、置時計、パーソナルコンピュータ又は家電製品など、あらゆる機器に備えさせることができる。地上デジタルテレビジョン放送受信装置としてはワンセグ受信の携帯端末に限らず、据え置き型の地上デジタルテレビジョン放送受信装置に対して適用して待機電源状態での緊急情報待ち受け時の消費電力を低減できる効果がある。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５０】
２…チューナ、５…ＦＦＴ部、７…ＴＭＣＣ検出部、９…ＡＣ検出部、２０…同期検波部、２１…等化部、２２…伝送路推定部、２４…補間部、３０…遅延検波部、３１…等化部、３２…１シンボル遅延部、４０…切替部、５０…Ｓ／Ｎ検出部、６０…制御部、１００，１００Ａ…ＡＣ信号受信装置、２００…地上デジタルテレビジョン放送受信装置。
【図１】
2012070079.tif 000003
【図２】
2012070079.tif 000004
【図３】
2012070079.tif 000005
【図４】
2012070079.tif 000006
【図５】
2012070079.tif 000007
【図６】
2012070079.tif 000008
【図７】
2012070079.tif 000009
【図８】
2012070079.tif 000010